【手続補正書】
【提出日】平成22年10月8日(2010.10.8)
【手続補正１】
【補正対象書類名】特許請求の範囲
【補正対象項目名】全文
【補正方法】変更
【補正の内容】
【特許請求の範囲】
【請求項１】
ネットワークを介したクライアント装置からのサービス要求に基づいてプログラムを動作させ、前記サービス要求に対応する画面データを前記クライアント装置へ送信するサーバ装置であって、
前記クライアント装置から操作データを受信する操作データ受信手段と、
前記クライアント装置からプログラムの実行内容を変えるための実行モードの指示データを受信する実行モード受信手段と、
前記クライアント装置との通信の遅延状況により通信の品質を判別する通信品質判別手段と、
判別された前記通信の品質または前記クライアント装置からの前記実行モードの指示データによりプログラムの実行モードを設定する実行モード設定手段と、
この設定された実行モードに従ってプログラムを実行して画面データを生成するプログラム実行手段と、
前記画面データを前記クライアント装置へ送信する画面データ送信手段と、
を備えることを特徴とするサーバ装置。
【請求項２】
前記実行モードに従って、表示のためのデータ量の多い少ないによって、プログラムが実行する際の表示様式を変えるよう動作する、
ことを特徴とする請求項１に記載のサーバ装置。
【請求項３】
前記通信の品質は、有線ＬＡＮ、無線ＬＡＮなどの伝送媒体の種類による品質を含む、
ことを特徴とする請求項１に記載のサーバ装置。
【請求項４】
プログラムを動作させるサーバ装置に対してサービス要求を行なうクライアント装置と、クライアント装置からのサービス要求に基づいてプログラムを動作させるサーバ装置とが、ネットワークを介して相互に接続可能に構成されたサーバベースコンピューティングシステムにおいて、
前記サーバ装置は、
前記クライアント装置から操作データを受信する操作データ受信手段と、
前記クライアント装置からプログラムの実行内容を変えるための実行モードの指示データを受信する実行モード受信手段と、
前記クライアント装置との通信の遅延状況により通信の品質を判別する通信品質判別手段と、
判別された前記通信の品質または前記クライアント装置からの前記実行モードの指示データによりプログラムの実行モードを設定する実行モード設定手段と、
この設定された実行モードに従ってプログラムを実行して画面データを生成するプログラム実行手段と、
前記画面データを前記クライアント装置へ送信する画面データ送信手段と、
を備え、
前記クライアント装置は、
操作データを前記サーバ装置へ送信する操作データ送信手段と、
プログラムの実行内容を変えるための実行モードの指示データを前記サーバ装置へ送信する実行モード送信手段と、
画面データを前記サーバ装置から受信する画面データ受信手段と、
を備えることを特徴とするサーバベースコンピューティングシステム。
【請求項５】
サーバ装置のコンピュータを、
クライアント装置から操作データを受信する操作データ受信手段、
前記クライアント装置からプログラムの実行内容を変えるための実行モードの指示データを受信する実行モード受信手段、
前記クライアント装置との通信の遅延状況により通信の品質を判別する通信品質判別手段、
判別された前記通信の品質または前記クライアント装置からの前記実行モードの指示データによりプログラムの実行モードを設定する実行モード設定手段、
この設定された実行モードに従ってプログラムを実行して画面データを生成するプログラム実行手段、
前記画面データを前記クライアント装置へ送信する画面データ送信手段、
として機能させるためのプログラム。
【手続補正２】
【補正対象書類名】明細書
【補正対象項目名】発明の名称
【補正方法】変更
【補正の内容】
【発明の名称】サーバ装置、サーバベースコンピューティングシステムおよびプログラム
【手続補正３】
【補正対象書類名】明細書
【補正対象項目名】０００１
【補正方法】変更
【補正の内容】
【０００１】
本発明は、ＳＢＣ（Server Based Computing：サーバベースコンピューティング）環境下にあるサーバ装置においてクライアント装置からの操作指示により実行されたアプリケーションプログラムの実行結果を、ネットワークを介して該ネットワークに接続されているクライアント装置に表示させることができるサーバ装置、サーバベースコンピューティングシステムおよびプログラムに関する。
【手続補正４】
【補正対象書類名】明細書
【補正対象項目名】００１３
【補正方法】変更
【補正の内容】
【００１３】
請求項３に記載のサーバ装置は、前記通信の品質が、有線ＬＡＮ、無線ＬＡＮなどの伝送媒体の種類による品質を含む、ことを特徴としている。
【手続補正５】
【補正対象書類名】明細書
【補正対象項目名】００１４
【補正方法】削除
【補正の内容】
【手続補正６】
【補正対象書類名】明細書
【補正対象項目名】００１５
【補正方法】削除
【補正の内容】
【手続補正７】
【補正対象書類名】明細書
【補正対象項目名】００１６
【補正方法】変更
【補正の内容】
【００１６】
請求項４に記載のサーバベースコンピューティングシステムは、プログラムを動作させるサーバ装置に対してサービス要求を行なうクライアント装置と、クライアント装置からのサービス要求に基づいてプログラムを動作させるサーバ装置とが、ネットワークを介して相互に接続可能に構成されたサーバベースコンピューティングシステムにおいて、前記サーバ装置は、前記クライアント装置から操作データを受信する操作データ受信手段と、前記クライアント装置からプログラムの実行内容を変えるための実行モードの指示データを受信する実行モード受信手段と、前記クライアント装置との通信の遅延状況により通信の品質を判別する通信品質判別手段と、判別された前記通信の品質または前記クライアント装置からの前記実行モードの指示データによりプログラムの実行モードを設定する実行モード設定手段と、この設定された実行モードに従ってプログラムを実行して画面データを生成するプログラム実行手段と、前記画面データを前記クライアント装置へ送信する画面データ送信手段と、を備え、前記クライアント装置は、操作データを前記サーバ装置へ送信する操作データ送信手段と、プログラムの実行内容を変えるための実行モードの指示データを前記サーバ装置へ送信する実行モード送信手段と、画面データを前記サーバ装置から受信する画面データ受信手段と、を備えることを特徴としている。
【手続補正８】
【補正対象書類名】明細書
【補正対象項目名】００１７
【補正方法】変更
【補正の内容】
【００１７】
請求項５に記載のサーバ装置のプログラムは、サーバ装置のコンピュータを、クライアント装置から操作データを受信する操作データ受信手段、前記クライアント装置からプログラムの実行内容を変えるための実行モードの指示データを受信する実行モード受信手段、前記クライアント装置との通信の遅延状況により通信の品質を判別する通信品質判別手段、判別された前記通信の品質または前記クライアント装置からの前記実行モードの指示データによりプログラムの実行モードを設定する実行モード設定手段、この設定された実行モードに従ってプログラムを実行して画面データを生成するプログラム実行手段、前記画面データを前記クライアント装置へ送信する画面データ送信手段、として機能させることを特徴としている。
【手続補正９】
【補正対象書類名】明細書
【補正対象項目名】００１８
【補正方法】削除
【補正の内容】